(57)【要約】【課題】カード処理端末本体の小型化を図る技術を提供することにある。【解決手段】磁気ストライプ１０１が形成されたカード１０が、カード挿入口１ａに連通し、カード挿入口１ａにおけるカード１０の挿入方向に延びるカード挿入路１ｂに沿って挿入方向に挿入される。この挿入されているカード１０に形成されている磁気ストライプ１０１が当接する磁気ヘッド３ａが、カード１０との間で生じた動摩擦力に応じてスライドする。【選択図】図４
2019121168.tif 000002
【特許請求の範囲】
【請求項１】
磁気ストライプが形成されたカードを前記磁気ストライプの長手方向に挿入するカード挿入口と、
前記カード挿入口に連通し、前記カード挿入口における前記カードの挿入方向に延びるカード挿入路と、
前記カード挿入路に沿って前記挿入方向に挿入されている前記カードに形成されている前記磁気ストライプが当接する磁気ヘッドと、
前記磁気ヘッドと前記カードとの間で生じた動摩擦力に応じて、前記磁気ヘッドをスライドさせるスライド保持機構部と、を備えたカード処理端末。
【請求項２】
前記スライド保持機構部によって、前記磁気ヘッドがスライドする範囲を規制するスライド規制機構部を備えた、請求項１に記載のカード処理端末。
【請求項３】
前記カード挿入路を挟んで対向する側に設けたサブ磁気ヘッドと、
前記サブ磁気ヘッドと前記カードとの間で生じた動摩擦力に応じて、前記サブ磁気ヘッドをスライドさせるサブスライド保持機構部と、を備えた請求項１、または２に記載のカード処理端末。
【請求項４】
前記サブスライド保持機構部によって、前記サブ磁気ヘッドがスライドする範囲を規制するサブスライド規制機構部を備えた、請求項３に記載のカード処理端末。
【請求項５】
前記カード挿入路に沿って前記挿入方向に挿入されたカードに対して、前記挿入方向と反対方向の反力を作用させる反力発生機構部を備えた請求項１〜４のいずれかに記載のカード処理端末。
【発明の詳細な説明】
【技術分野】
【０００１】
この発明は、カードに形成されている磁気ストライプに記録されているカードデータを読み取る技術に関する。
【背景技術】
【０００２】
従来、カードに形成されている磁気ストライプに記録されているカードデータ（磁気データ）を読み取る磁気カードリーダの１つとして、利用者がカードを手差し挿入するものがある（特許文献１参照）。特許文献１のカードリーダは、筐体の側面で開口している開口部と、底部とを有する磁気カード保持孔を備えている。利用者は、カードを開口部に挿入し、さらに底部へ押し込む。カードリーダは、底部へ押し込まれているカードに形成されている磁気ストライプが当接する位置に磁気ヘッドを配置し、この底部へ押し込まれているカードの磁気ストライプに記録されているカードデータを読み取る構成である。
【０００３】
なお、周知のように、磁気ストライプは、カードリーダに対する押込方向における、カードの一方端から、他方端に亘って、帯状に形成されている。
【先行技術文献】
【特許文献】
【０００４】
【特許文献１】特開２０１６−１８９１３１号公報
【発明の概要】
【発明が解決しようとする課題】
【０００５】
しかしながら、特許文献１に記載されたカードリーダは、磁気ヘッドの配置位置から、カードが押し込まれる方向における底部の端部までの長さを、カードに形成されている磁気ストライプに記録されているカードデータを読み取れる長さ以上にしなければならない。すなわち、磁気ヘッドの配置位置から、カードが押し込まれる方向における底部の端部までの長さを、磁気ストライプにおいて、カードデータの開始を示すスタートマークが記載されている位置から、カードデータの終了を示すエンドマークが記載されている位置までの長さ以上にしなければならない。磁気ストライプにおいて、スタートマークが記載されている位置から、エンドマークが記載されている位置までの長さは、カードの押込方向における磁気ストライプの一方端から他方端までの長さよりも少し短い（すなわち、押込方向におけるカードの長さよりも少し短い）長さである。
【０００６】
したがって、特許文献１に記載されたカードリーダの構成では、カードに形成されている磁気ストライプに記録されているカードデータを読み取るためには、磁気ヘッドの配置位置から、カードの押込方向側の底部の端部までの長さを、押込方向におけるカードの長さと同等にしなければならず、カードリーダ本体の小型化が困難であった。
【０００７】
なお、磁気ヘッドは、カードを挿入する開口部付近に配置すると、カードが挿入されていないときに塵、埃等が付着し、カードデータの読取精度を低下させる。
【０００８】
この発明の目的は、カード処理端末本体の小型化を図る技術を提供することにある。
【課題を解決するための手段】
【０００９】
この発明のカード処理端末は、上記目的を達するために、以下のように構成している。
【００１０】
磁気ストライプが形成されたカードを前記磁気ストライプの長手方向に挿入するカード挿入口と、前記カード挿入口に連通し、前記カード挿入口における前記カードの挿入方向に延びるカード挿入路と、前記カード挿入路に沿って前記挿入方向に挿入されている前記カードに形成されている前記磁気ストライプが当接する磁気ヘッドと、前記磁気ヘッドと前記カードとの間で生じた動摩擦力に応じて、前記磁気ヘッドをスライドさせるスライド保持機構部と、を備えている。
【００１１】
この構成では、カード挿入口において挿入したカードを、カード挿入路に沿って挿入方向押し込むと、磁気ヘッドがカード（磁気ストライプ）との間で生じた動摩擦力に応じてスライドする。磁気ヘッドのスライド方向は、カード（磁気ストライプ）との間で生じた動摩擦力によるものなので、カードの挿入方向とは反対方向（抜取方向）である。このため、カード挿入方向におけるカード挿入路の端部までの長さを短くできるので、カード処理装置本体の小型化が図れる。
【００１２】
また、磁気ヘッドは、カードがカード挿入口に挿入されていないとき、カード挿入口付近に位置しないので、塵、埃等が付着するのを抑えられる。
【００１３】
また、磁気ヘッドに対する磁気ストライプの相対速度は、挿入方向におけるカードの挿入速度、および磁気ヘッドが挿入口側にスライドする速度を加算した速度になるので、磁気データの読み取りが安定して行える。具体的には、磁気ヘッドに対する磁気ストライプの相対速度が低速であるために生じる磁気データの読取エラーの発生頻度を抑えることができる。
【００１４】
また、スライド保持機構部によって、磁気ヘッドがスライドする範囲を規制するスライド規制機構部を備えるのが好ましい。これにより、カードの挿入時における磁気ヘッドの位置が、カードデータの読み取りが行えない位置、例えばカード挿入路の挿入方向側の端部付近の位置、にあるという事態が防止できる。言い換えれば、磁気ヘッドを、常に、挿入されたカードのカードデータの読み取りが行える位置に保持できる。
【００１５】
また、カード挿入路を挟んで対向する側に設けたサブ磁気ヘッドと、このサブ磁気ヘッドとカードとの間で生じた動摩擦力に応じて、サブ磁気ヘッドをスライドさせるサブスライド保持機構部と、を備える構成にしてもよい。
【００１６】
このように構成すれば、カードの両面のそれぞれに磁気ストライプを対向させて形成したダブルストライプ型のカードがカード挿入口から挿入されたとき、このカードの両面に形成されている磁気ストライプに記録されている磁気カードデータを同時に読み取ることができる。
【００１７】
この場合には、サブ磁気ヘッドについても、常に、挿入されたカードのカードデータの読み取りが行える位置に保持できるように、サブスライド保持機構部によって、サブ磁気ヘッドがスライドする範囲を規制するサブスライド規制機構部を備える構成にするのが好ましい。
【００１８】
さらに、カード挿入路に沿って挿入方向に挿入されたカードに対して、挿入方向と反対方向の反力を作用させる反力発生機構部を備え、挿入したカードの抜取が容易に行えるように構成してもよい。
【発明の効果】
【００１９】
この発明によれば、カード処理端末本体の小型化が図れる。
【図面の簡単な説明】
【００２０】
【図１】この例にかかるカード処理端末の主要部の構成を示すブロック図である。
【図２】この例にかかるカード処理端末の概略の外観図である。
【図３】カードを示す図である。
【図４】挿入方向におけるカード処理端末の概略の断面図である。
【図５】この例にかかるカード処理端末の動作を説明する。
【図６】この例にかかるカード処理端末の動作を説明する。
【図７】この例にかかるカード処理端末の動作を説明する。
【図８】この例にかかるカード処理端末の動作を説明する。
【図９】別の例にかかるカード処理端末の概略の断面図である。
【発明を実施するための形態】
【００２１】
以下、この発明の実施形態について説明する。
【００２２】
＜１．構成例＞
図１は、この例にかかるカード処理端末の主要部の構成を示すブロック図である。図２は、この例にかかるカード処理端末の概略の外観図である。図３は、磁気ストライプ、およびＩＣ接点が一方の面に形成されたカードを示す図である。この例にかかるカード処理端末１は、図１に示すように制御部２と、磁気データ読取部３と、ＩＣデータ読取部４と、入出力部５と、操作部６と、表示部７とを備えている。この例にかかるカード処理端末１は、図３に示すようにカード１０の一方の面（以下、この面を表面と言う。）に形成された磁気ストライプ１０１に記録されているカードデータの読み取りが行える。また、このカード処理端末１は、カード１０の表面に形成されたＩＣ接点１０２に電気的に接続されているＩＣ（Integrated Circuit）（不図示）に記録されているカードデータの読み取り、およびこのＩＣに対するカードデータの書き込みが行える。図３に示すカード１０は、磁気ストライプ１０１、およびＩＣ接点１０２を表面に形成した、磁気・接触式ＩＣ複合カードである。このカード処理端末１の本体内部には、カード１０をカード挿入口１ａからカード処理端末１本体内部に向かう方向（ここでは、この方向を挿入方向と言う。）に挿入できるようにカード挿入路１ｂが形成されている。カード１０の挿入方向におけるカード挿入路１ｂの長さは、カード１０の挿入方向の長さよりも少し短い。
【００２３】
なお、カード処理端末１は、カード１０の表面に形成されたＩＣ接点１０２に電気的に接続されているＩＣに記録されているカードデータの読み取り、およびのＩＣに対するカードデータの書き込みが行えない構成であってもよい（カード処理端末１は、ＩＣデータ読取部４を備えていない構成であってもよい。）。また、カード処理端末１は、近距離無線通信機能を有するカード１０との間における近距離無線通信で、カード１０に設けられているＩＣに記録されているカードデータの読み取り、このＩＣに対するカードデータの書き込みが行える構成を追加的に設けてもよい。すなわち、カード処理端末１は、少なくとも、カード１０の表面に形成された磁気ストライプ１０１に記録されているカードデータの読み取りが行える構成であればよい。
【００２４】
制御部２は、カード処理端末１本体各部の動作を制御する。
【００２５】
磁気データ読取部３は、磁気ヘッド３ａを有している。この磁気ヘッド３ａは、カード挿入口１ａにおいてカード処理端末１本体に挿入されたカード１０の磁気ストライプ１０１に当接するように設けている。カード処理端末１に対するカード１０の挿入方向は、このカード１０の表面に形成されている磁気ストライプの長手方向である。磁気データ読取部３は、磁気ヘッド３ａを利用して、カード１０の磁気ストライプ１０１に記録されているカードデータを読み取る。カード処理端末１における磁気ヘッド３ａの取り付け等にかかる構成の詳細については、後述する。
【００２６】
ＩＣデータ読取部４は、接点端子４ａを有している。接点端子４ａは、カード挿入口１ａにおいて挿入方向に挿入され、カード挿入路１ｂに沿ってＩＣ読取・書込位置まで押し込まれたカード１０の表面に形成されているＩＣ接点１０２に電気的に接続できるように取り付けられている。ＩＣデータ読取部４は、接点端子４ａをカード１０のＩＣ接点１０２に電気的に接続し、カード１０に設けられているＩＣに記録されているカードデータを読み取る。
【００２７】
入出力部５は、上位装置との間におけるデータの入出力を行う。上位装置は、例えば、取引する商品を登録するＰＯＳ端末であってもよいし、セキュリティルームに対する入室者、およびセキュリティルームからの退出者を管理する入退室管理装置であってもよいし、他の種類の装置であってもよい。すなわち、上位装置は、カード処理端末１に対してカードデータを要求し、カード処理端末１から取得したカードデータデータを用いて処理を実行する装置であれば、どのような種類の装置であってもよい。
【００２８】
操作部６は、キーパッド６ａを有している。キーパッド６ａは、カード処理端末１本体に対する入力操作を行うための複数のキーを有している。例えば、キーパッド６ａでは、カード１０の使用者がカード１０の所有者本人であるかどうかの認証に用いるＰＩＮコード（所謂、暗証番号）の入力操作が行われる。
【００２９】
表示部７は、表示器７ａを有している。表示部７は、表示器７ａにおける画面表示を制御する。表示部７は、操作案内画面等を表示器７ａに表示させる。
【００３０】
この例では、図２に示すように、キーパッド６ａ、および表示器７ａを、カード処理端末１本体の同じ面に設けている。したがって、利用者は、表示器７ａに表示されている操作案内画面等を見ながら、キーパッド６ａで入力操作が行える。ここでは、キーパッド６ａおよび表示器７ａが設けられている面を、カード処理端末１の操作面と言う。また、カード挿入口１ａは、カード処理端末１の操作面に連続する側面の１つに設けられている。
【００３１】
次に、図４を参照しながら、カード処理端末１本体内部の構成について説明する。図４は、挿入方向におけるカード処理端末の概略の断面図である。図４は、図２に示すＡ−Ａ方向の断面図である。カード処理端末１は、上述したように、カード挿入口１ａにおいて、カード１０を挿入方向に押し込めるようにカード挿入路１ｂが形成されている。
【００３２】
磁気ヘッド３ａは、カード１０の挿入方向に並べた２つのプーリー５０ａ、５０ｂに架けたリング状のベルト５１に取り付けている。磁気ヘッド３ａは、上述したように、カード挿入口１ａにおいてカード処理端末１本体に挿入されたカード１０の磁気ストライプ１０１に当接するように設けている。このため、カード処理端末１本体において、カード１０が挿入方向に押し込まれているとき、カード１０の磁気ストライプ１０１と磁気ヘッド３ａとの当接面で生じた動摩擦力によって、ベルト５１が図４に示す断面図上で時計回りに回転する。したがって、磁気ヘッド３ａは、カード１０の挿入方向とは反対方向（ここでは、この方向をカード１０の抜取方向と言う。）にスライドする。また、カード処理端末１本体において、カード１０が抜取方向に引き出されているとき、カード１０の磁気ストライプ１０１と磁気ヘッド３ａとの当接面で生じた動摩擦力によって、ベルト５１が図４に示す断面図上で反時計回りに回転する。したがって、磁気ヘッド３ａは、カード１０の挿入方向にスライドする。この例では、プーリー５０ａ、５０ｂ、およびベルト５１が、この発明で言うスライド保持機構部を構成する。
【００３３】
また、カード処理端末１本体には、ベルト５１の回転範囲を制限するストッパ部材５２、５３がカード１０の挿入方向に並べられている。ストッパ部材５２、５３は、ベルト５１側に突出している突起形状の部材である。また、ベルト５１には、カード１０の挿入方向に並んでいるストッパ部材５２、５３の間に位置させ、ベルト５１の回転によってストッパ部材５２、５３に衝突する規制部材５１ａが取り付けられている。図４では、規制部材５１ａが、ストッパ部材５３に衝突している状態を示している。この規制部材５１ａは、ストッパ部材５２、５３側に突出している突起形状の部材である。
【００３４】
ベルト５１は、規制部材５１ａとストッパ部材５３とが衝突することによって、図４に示す断面図上で反時計回りに回転するのを制限される。したがって、磁気ヘッド３ａは、規制部材５１ａがストッパ部材５３に衝突しているときの位置よりも、カード１０の挿入方向側に移動するのが規制される。また、ベルト５１は、規制部材５１ａとストッパ部材５２とが衝突することによって、図４に示す断面図上で時計回りに回転するのを制限される。したがって、磁気ヘッド３ａは、規制部材５１ａがストッパ部材５２に衝突しているときの位置よりも、カード挿入口１ａ側に移動するのが規制される。すなわち、磁気ヘッド３ａがカード１０の挿入方向にスライド可能な範囲は、規制部材５１ａがストッパ部材５３に衝突している状態であるときの位置と、規制部材５１ａがストッパ部材５２に衝突している状態であるときの位置との間である。この例では、規制部材５１ａ、およびストッパ部材５２、５３が、この発明で言うスライド規制機構部を構成する。
【００３５】
さらに、カード処理端末１は、一端をカード処理端末１本体の設けられた固定部材５６に取り付け、他端をカード１０の挿入方向および抜取方向に移動自在に設けた反力作用部材５７に取り付けたバネ５５を備えている。反力作用部材５７は、その一部がカード挿入路１ｂに突出している。カード１０を挿入方向に押し込んだとき、カード１０の挿入方向側の端部によって反力作用部材５７が挿入方向側に移動する。バネ５５は、反力作用部材５７が挿入方向側に移動したことにより縮み、反力作用部材５７を抜取方向に移動させる向きの付勢力を生じる。このバネ５５において生じる付勢力は、磁気ヘッド３ａと磁気ストライプ１０１との接触面で生じる静止摩擦力よりも小さい。したがって、カード挿入路１ｂに挿入したカード１０が、バネ５５の付勢力によって、カード処理端末１本体から抜取方向に押し出されることはない。この例では、バネ５５、固定部材５６、および反力作用部材５７が、この発明で言う反力発生機構部を構成する。
【００３６】
＜２．動作例＞
図５、図６、図７、および図８を参照しながら、この例にかかるカード処理端末の動作を説明する。カード処理端末１は、カード１０がカード挿入口１ａに挿入されていないとき、例えば図５に示す状態（この状態をカード未挿入状態と言う。）である。図５に示すカード未挿入状態は、規制部材５１ａがストッパ部材５２に衝突している状態であり、磁気ヘッド３ａが最もカード１０の挿入方向側に位置している状態である。
【００３７】
なお、カード未挿入状態における磁気ヘッド３ａの位置は、図５に示す位置に限らず、この位置からカード挿入口１ａ側にずれていることもある。
【００３８】
カード挿入口１ａにおいて挿入方向にカード１０を挿入すると、このカード１０の磁気ストライプ１０１が磁気ヘッド３ａに当接する位置に達するまで（図６に示す状態に達するまで、）、磁気ストライプ１０１と磁気ヘッド３ａとの当接面で生じる動摩擦力による抵抗が生じない。したがって、利用者（カード１０をカード処理端末１に挿入している者）は、カード挿入口１ａにおいて挿入方向にカード１０を挿入するとき、このカード１０の磁気ストライプ１０１が磁気ヘッド３ａに当接する位置に達するまで、カード１０を比較的スムーズに押し込める。
【００３９】
利用者は、カード挿入口１ａにおいて挿入方向に挿入したカード１０の磁気ストライプ１０１と磁気ヘッド３ａとが当接すると、磁気ストライプ１０１と磁気ヘッド３ａとの当接面で生じた動摩擦力による抵抗を感じる。しかしながら、この磁気ストライプ１０１と磁気ヘッド３ａとの当接面で生じた動摩擦力により、磁気ヘッド３ａが抜取方向にスライドするので、挿入方向における、磁気ヘッド３ａに対する磁気ストライプ１０１の相対的な移動速度が低下するのを抑制できる。すなわち、磁気ヘッド３ａは、ある程度の速度で、磁気ストライプ１０１上をスライドするので、この磁気ストライプ１０１に記録されているカードデータの読み取りが適正に行える。
【００４０】
カード挿入口１ａにおいて挿入方向に挿入しているカード１０の端部が反力作用部材５７に達し（図７に示す状態）、さらにカード１０を挿入方向に挿入すると、バネ５５によってカード１０を抜取方向側へ押し戻す向きに作用する付勢力が作用する。しかしながら、利用者は、カード１０を図７に示す位置まで押し込んできているので、挿入方向側の端部が反力作用部材５７に達しときのカード１０の運動エネルギを利用して、カード１０をバネ５５の付勢力に抗して、図８に示す位置まで容易に押し込める。図８は、反力作用部材５７がカード挿入路１ｂの挿入方向における端部に達した位置である。
【００４１】
また、このとき、規制部材５１ａがストッパ部材５２に衝突している状態であり、磁気ヘッド３ａが最もカード１０の抜取方向側に位置している状態である。カード１０が図８に示す位置まで押し込まれたとき、磁気ヘッド３ａは磁気ストライプ１０１にカードデータが記録されている領域全体を走査する。したがって、磁気ストライプ１０１に記録されているカードデータを読み取ることができる。
【００４２】
なお、カード処理端末１は、図８に示す状態に達する前に、規制部材５１ａがストッパ部材５２に衝突し、磁気ヘッド３ａのカード挿入口１ａ側へのスライドが停止していることもある。
【００４３】
図８に示す状態において、カード１０を抜取方向側へ押し戻す向きに作用するバネ５５の付勢力は、磁気ヘッド３ａと磁気ストライプ１０１との間で生じている静止摩擦力よりも小さいものを選択している。したがって、利用者は、カード１０を図８に示す位置まで押し込むと、カード１０から手を放しても、このカード１０が抜取方向側に押し出されることはない。
【００４４】
また、カード処理端末１の接点端子４ａは、図８に示す位置まで挿入したカード１０に形成されているＩＣ接点１０２に電気的に接続できる。すなわち、カード処理端末１は、カード１０が図８に示す位置まで挿入されると、このカード１０に設けられているＩＣに記録されているカードデータを読み取ることができる。
【００４５】
また、利用者は、図８に示す位置まで押し込んだカード１０に対して、抜取方向側に力を作用させ、磁気ヘッド３ａと磁気ストライプ１０１との間で生じている静止摩擦力による静止状態を解消すると、バネ５５の付勢力によってカード１０が抜取方向に押し出されるので、カード１０の抜取が簡単に行える。
【００４６】
また、カード１０を抜き取るとき、磁気ヘッド３ａが当接している磁気ストライプ１０１との間で生じる動摩擦力によって、挿入方向側にスライドする。このため、磁気ヘッド３ａは、カード１０が抜き取られると、カード挿入口１ａから比較的離れた場所に位置にする。
【００４７】
このように、このカード処理端末１は、磁気ヘッド３ａが磁気ストライプ１０１との間で生じる動摩擦力によってスライドする構成としたので、カード挿入路１ｂの挿入方向における長さを短くできる。したがって、カード処理端末１の小型化が図れる。
【００４８】
また、磁気ヘッド３ａが磁気ストライプ１０１との間で生じた動摩擦力によりスライドするので、磁気ヘッド３ａに対する磁気ストライプ１０１の相対速度が低速になるのを抑制できる。これにより、磁気ヘッド３ａに対する磁気ストライプ１０１の相対速度が低速であるために生じる磁気データの読取エラーの発生頻度を抑えることができる。
【００４９】
さらに、磁気ヘッド３ａは、カード１０がカード挿入口１ａに挿入されていないとき、カード挿入口１ａ付近に位置しないので、塵、埃等が付着するのを抑えられる。
【００５０】
なお、磁気ヘッド３ａをカード１０の挿入方向、および抜取方向にスライドする構成は、上記の例で示した構成に限らずどのような構成であってもよい。また、磁気ヘッド３ａがスライドする範囲を規制する構成についても、上記の例で示した構成に限らずどのような構成であってもよい。
【００５１】
＜３．変形例＞
この発明の変形例について説明する。この変形例は、カード１０の両面のそれぞれに磁気ストライプ１０１を対向させて形成したダブルストライプ型のカード１０がカード挿入口１ａから挿入されたとき、このカード１０の両面に形成されている磁気ストライプ１０１に記録されている磁気カードデータの読み取りが同時に行えるカード処理端末１である。
【００５２】
図９は、この変形例にかかるカード処理端末の概略の断面図である。図９では、図４に示した構成と同じ構成については、同じ符号を付している。この例にかかるカード処理端末１は、カード挿入路１ｂを挟んで、２つの磁気ヘッド３ａ、３ｂを対向させて配置した構成である点で、上記の例と異なる。磁気ヘッド３ｂも、磁気ヘッド３ａと同様に、カード１０の挿入方向に並べた２つのプーリー６０ａ、６０ｂに架けたリング状のベルト６１に取り付けている。磁気ヘッド３ｂは、カード挿入口１ａにおいてカード処理端末１本体に挿入されたカード１０の磁気ストライプ１０１に対向する面（カード１０の裏面）に形成した別の磁気ストライプ（不図示）に当接するように設けている。このため、カード処理端末１本体において、カード１０が挿入方向に押し込まれているとき、カード１０の磁気ストライプと磁気ヘッド３ｂとの当接面で生じた動摩擦力によって、ベルト６１が図９に示す断面図上で反時計回りに回転するので、磁気ヘッド３ｂがカード１０の挿入方向とは反対方向にスライドする。また、カード処理端末１本体において、カード１０が抜取方向に引き出されているとき、カード１０の磁気ストライプと磁気ヘッド３ｂとの当接面で生じた動摩擦力によって、ベルト６１が図９に示す断面図上で時計回りに回転するので、磁気ヘッド３ｂがカード１０の挿入方向にスライドする。この例では、プーリー６０ａ、６０ｂ、およびベルト６１が、この発明で言うサブスライド保持機構部を構成する。また、磁気ヘッド３ｂが、この発明で言うサブ磁気ヘッドに相当する。
【００５３】
また、カード処理端末１本体には、ベルト６１の回転範囲を制限するストッパ部材６２、６３がカード１０の挿入方向に並べられている。ストッパ部材６２、６３は、ベルト６１側に突出している突起形状の部材である。また、ベルト６１には、カード１０の挿入方向に並んでいるストッパ部材６２、６３の間に位置させ、ベルト６１の回転によってストッパ部材６２、６３に衝突する規制部材６１ａが取り付けられている。図９では、規制部材６１ａが、ストッパ部材６３に衝突している状態を示している。この規制部材６１ａは、ストッパ部材６２、６３側に突出している突起形状の部材である。
【００５４】
ベルト６１は、規制部材６１ａとストッパ部材６３とが衝突することによって、図９に示す断面図上で時計回りに回転するのを制限される。したがって、磁気ヘッド３ｂは、規制部材６１ａがストッパ部材６３に衝突しているときの位置よりも、カード１０の挿入方向側に移動するのが規制される。また、ベルト６１は、規制部材６１ａとストッパ部材６２とが衝突することによって、図９に示す断面図上で反時計回りに回転するのを制限される。したがって、磁気ヘッド３ｂは、規制部材６１ａがストッパ部材６２に衝突しているときの位置よりも、カード挿入口１ａ側に移動するのが規制される。すなわち、磁気ヘッド３ｂがカード１０の挿入方向にスライド可能な範囲は、規制部材６１ａがストッパ部材６３に衝突している状態であるときの位置と、規制部材６１ａがストッパ部材６２に衝突している状態であるときの位置との間である。この例では、規制部材６１ａ、およびストッパ部材６２、６３が、この発明で言うサブスライド規制機構部を構成する。
【００５５】
この図９に示すカード処理端末１は、カード１０が挿入方向に挿入されているとき、磁気ヘッド３ａ、３ｂがカード挿入口１ａ側にスライドし、カード１０が抜取方向に抜き取られているとき、磁気ヘッド３ａ、３ｂがカード挿入口１ａ側と反対側にスライドする。したがって、上記の例のカード処理端末１と同様の効果を奏する。
【００５６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００５７】
さらに、この発明にかかる構成と上述した実施形態にかかる構成との対応関係は、以下の付記のように記載できる。
【００５８】
＜付記＞
磁気ストライプ（１０１）が形成されたカード（１０）を前記磁気ストライプ（１０１）の長手方向に挿入するカード挿入口（１ａ）と、
前記カード挿入口（１ａ）に連通し、前記カード挿入口（１ａ）における前記カード（１０）の挿入方向に延びるカード挿入路（１ｂ）と、
前記カード挿入路（１ｂ）に沿って前記挿入方向に挿入されている前記カード（１０）に形成されている前記磁気ストライプ（１０１）が当接する磁気ヘッド（３ａ）と、
前記磁気ヘッド（３ａ）と前記カード（１０）との間で生じた動摩擦力に応じて、前記磁気ヘッド（３ａ）をスライドさせるスライド保持機構部（５０ａ、５０ｂ、５１）と、を備えたカード処理端末（１）。
【符号の説明】
【００５９】
１…カード処理端末
１ａ…カード挿入口
１ａ…比較的挿入口
１ｂ…カード挿入路
２…制御部
３…磁気データ読取部
３ａ、３ｂ…磁気ヘッド
４…ＩＣデータ読取部
４ａ…接点端子
５…入出力部
６…操作部
６ａ…キーパッド
７…表示部
７ａ…表示器
１０…カード
５０ａ、５０ｂ、６０ａ、６０ｂ…プーリー
５１、６１…ベルト
５１ａ、６１ａ…規制部材
５２、５３、６２、６３…ストッパ部材 
５３…ストッパ部材
５５…バネ
５６…固定部材
５７…反力作用部材
１０１…磁気ストライプ
１０２…ＩＣ接点
【図１】
2019121168.tif 000003
【図２】
2019121168.tif 000004
【図３】
2019121168.tif 000005
【図４】
2019121168.tif 000006
【図５】
2019121168.tif 000007
【図６】
2019121168.tif 000008
【図７】
2019121168.tif 000009
【図８】
2019121168.tif 000010
【図９】
2019121168.tif 000011